(57)【要約】【課題】扉スイッチに接続された中継コネクタの防水性を高め、安全性を向上すること。【解決手段】扉スイッチ２００は、箱体ベース９３および箱体蓋９４にて、下部側に下方が開放したコネクタ収納部１００を水密的に形成するとともに、扉開閉検知スイッチ用リード線２０４ａ、ソレノイド用リード線２１８ｃ、ロック検知スイッチ用リード線２０４ｂと、制御装置９６に接続された制御回路リード線９２とを中継コネクタ２０６で接続し、中継コネクタ２０６をコネクタ収納部１００に収納する構成とすることにより、洗濯機本体前面部などの隙間から水が浸入した場合でも、中継コネクタ２０６の接続充電部が水に濡れるのを容易に防止して、安全性を向上させることができる。【選択図】図２
2017064286.tif 000002
【特許請求の範囲】
【請求項１】
有底円筒状に形成された回転ドラムと、前記回転ドラムを回転自在に内包する水槽と、前記回転ドラムを回転駆動するモータと、前記水槽を揺動自在に弾性支持した本体と、前記本体に形成された洗濯物投入口と、取っ手部や先端鉤状のラッチを有し前記洗濯物投入口を開閉自在に覆う扉体と、前記本体の裏面側に配設され、前記扉体の開閉を検知する扉開閉検知スイッチ、前記扉体の閉状態を保持及び解除するソレノイドアクチュエータ、前記扉体の閉状態を検知するロック検知スイッチ、前記ラッチが係合および開放されるラッチ受けなどを有する扉スイッチと、前記扉開閉検知スイッチに接続された扉開閉検知スイッチ用リード線と、前記ソレノイドアクチュエータに接続されたソレノイド用リード線と、前記ロック検知スイッチに接続されたロック検知スイッチ用リード線と、前記扉スイッチの外装を水密的に構成する箱体ベースおよび箱体蓋と、前記モータ、扉スイッチなどの動作を制御し、洗い、すすぎ、脱水等の各行程を制御する制御手段を有する制御装置とを備え、前記扉スイッチは、前記箱体ベースおよび箱体蓋により、下部側に下方が開放したコネクタ収納部を水密的に形成するとともに、前記扉開閉検知スイッチ用リード線、ソレノイド用リード線、ロック検知スイッチ用リード線と、前記制御装置に接続された制御回路リード線とを中継コネクタで接続し、前記中継コネクタを前記コネクタ収納部に収納した洗濯機。
【発明の詳細な説明】
【技術分野】
【０００１】
本発明は、衣類を出し入れするための開閉自在の扉体を備える洗濯機に関するものである。
【背景技術】
【０００２】
従来、この種洗濯機では、扉体は、運転中には開かないようにロックされ、回転駆動される回転ドラムに手が差し込まれる危険性や、洗濯水や洗濯物が外部に飛散する状態を回避できる構成が提案されている（例えば、特許文献１参照）。
【０００３】
図８は、特許文献１に記載された従来のドラム式洗濯機の扉スイッチと扉体との関係を示す一部切欠した斜視図、図９は、同ドラム式洗濯機の扉スイッチの内部構造図である。
【０００４】
図８および図９において、扉体４０９は、本体（図示せず）の前面開口部を開閉自在に設けている。扉体４０９には、フック４２３を操作する扉開閉レバー４２４が設けられ、扉開閉レバー４２４の操作によりフック４２３が図８に示す矢印Ａ方向に揺動するよう構成されている。フック４２３は、本体の前面外装板面側に設けた扉スイッチ４２５により扉体４０９を閉状態にロックできるようになっている。
【０００５】
扉スイッチ４２５の摺動部材４２６は、ばね４２７により付勢されて図９中左右方向に移動自在となっており、扉体４０９の閉成により扉体４０９のフック４２３が係合することで摺動移動する。摺動部材４２６の移動により、操作部材４２８が回転して、スイッチ手段４２９を閉じるように構成されている。スイッチ手段４２９は、ソレノイド（駆動手段）４３０およびモータ（図示せず）などの負荷に接続している。
【０００６】
ソレノイド４３０に保持手段４３１を連結し、保持手段４３１の一部が摺動部材４２６の一部と嵌合し、摺動部材４２６が係止されて扉体４０９が閉状態にロックできるようになっている。
【０００７】
マイクロスイッチ（位置検出手段）４３５は、フック４２３を外れない状態に保持する保持手段４３１の保持状態を検知し、保持されていることを出力するものである。
【０００８】
手動解除板（解除手段）４３６は、フック４２３が外れない状態に摺動部材４２６を保持した保持手段４３１を手動で解除するものである。
【０００９】
扉スイッチ４２５は、ソレノイド接続端子部４３８、マイクロスイッチ接続端子部４３９にそれぞれ接続されたリード線（図示せず）を、制御装置（図示せず）に接続されたリード線（図示せず）と、中継コネクタ（図示せず）で接続することで、電源を得られ動作する構成となっている。
【先行技術文献】
【特許文献】
【００１０】
【特許文献１】特開平１０−２７２２９３号公報
【発明の概要】
【発明が解決しようとする課題】
【００１１】
しかしながら、前記従来の構成では、洗濯機本体前面部や上面部の隙間から浸入した水が、扉スイッチの端子接続部や、端子接続部からのリード線と制御装置からのリード線と
を連結する中継コネクタの充電部に付着し、付着した水により不具合が発生する可能性があるというが課題であった。
【００１２】
本発明は、上記従来の課題を解決するもので、洗濯機本体前面部などの隙間から水が浸入した場合でも、中継コネクタの接続充電部が水に濡れるのを容易に防止することができる洗濯機を提供することを目的とする。
【課題を解決するための手段】
【００１３】
前記従来の課題を解決するために、本発明の洗濯機は、有底円筒状に形成された回転ドラムと、前記回転ドラムを回転自在に内包する水槽と、前記回転ドラムを回転駆動するモータと、前記水槽を揺動自在に弾性支持した本体と、前記本体に形成された洗濯物投入口と、取っ手部や先端鉤状のラッチを有し前記洗濯物投入口を開閉自在に覆う扉体と、前記本体の裏面側に配設され、前記扉体の開閉を検知する扉開閉検知スイッチ、前記扉体の閉状態を保持及び解除するソレノイドアクチュエータ、前記扉体の閉状態を検知するロック検知スイッチ、前記ラッチが係合および開放されるラッチ受けなどを有する扉スイッチと、前記扉開閉検知スイッチに接続された扉開閉検知スイッチ用リード線と、前記ソレノイドアクチュエータに接続されたソレノイド用リード線と、前記ロック検知スイッチに接続されたロック検知スイッチ用リード線と、前記扉スイッチの外装を水密的に構成する箱体ベースおよび箱体蓋と、前記モータ、扉スイッチなどの動作を制御し、洗い、すすぎ、脱水等の各行程を制御する制御手段を有する制御装置とを備え、前記扉スイッチは、前記箱体ベースおよび箱体蓋により、下部側に下方が開放したコネクタ収納部を水密的に形成するとともに、前記扉開閉検知スイッチ用リード線、ソレノイド用リード線、ロック検知スイッチ用リード線と、前記制御装置に接続された制御回路リード線とを中継コネクタで接続し、前記中継コネクタを前記コネクタ収納部に収納する構成としたものである。
【００１４】
これによって、洗濯機本体前面部などの隙間穴から水が浸入した場合でも、中継コネクタの接続充電部が水に濡れるのを容易に防止して、安全性を向上させることができる。
【発明の効果】
【００１５】
本発明の洗濯機は、扉スイッチのラッチ受け隙間から水が浸入した場合でも、扉スイッチの箱体と一体でコネクタ収納部を設けているので、中継コネクタの接続充電部が水に濡れるのを容易に防止することができる。
【図面の簡単な説明】
【００１６】
【図１】本発明の実施の形態における洗濯機の外観斜視図
【図２】同洗濯機の扉スイッチの取付け状態を示す斜視図
【図３】同洗濯機の扉スイッチの側面図
【図４】同洗濯機の扉スイッチの内部構造図
【図５】同洗濯機の扉スイッチのソレノイドアクチュエータの分解斜視図
【図６】（ａ）同洗濯機の扉スイッチの操作板の底面図、（ｂ）同操作板の分解斜視図
【図７】（ａ）同洗濯機の扉スイッチのソレノイドアクチュエータのリード線接続状態を示す斜視図、（ｂ）同ソレノイドアクチュエータの斜視図
【図８】従来の洗濯機の扉スイッチと扉体との関係を示す一部切欠きした斜視図
【図９】同洗濯機の扉スイッチの内部構造図
【発明を実施するための形態】
【００１７】
第１の発明は、有底円筒状に形成された回転ドラムと、前記回転ドラムを回転自在に内包する水槽と、前記回転ドラムを回転駆動するモータと、前記水槽を揺動自在に弾性支持した本体と、前記本体に形成された洗濯物投入口と、取っ手部や先端鉤状のラッチを有し前
記洗濯物投入口を開閉自在に覆う扉体と、前記本体の裏面側に配設され、前記扉体の開閉を検知する扉開閉検知スイッチ、前記扉体の閉状態を保持及び解除するソレノイドアクチュエータ、前記扉体の閉状態を検知するロック検知スイッチ、前記ラッチが係合および開放されるラッチ受けなどを有する扉スイッチと、前記扉開閉検知スイッチに接続された扉開閉検知スイッチ用リード線と、前記ソレノイドアクチュエータに接続されたソレノイド用リード線と、前記ロック検知スイッチに接続されたロック検知スイッチ用リード線と、前記扉スイッチの外装を水密的に構成する箱体ベースおよび箱体蓋と、前記モータ、扉スイッチなどの動作を制御し、洗い、すすぎ、脱水等の各行程を制御する制御手段を有する制御装置とを備え、前記扉スイッチは、前記箱体ベースおよび箱体蓋により、下部側に下方が開放したコネクタ収納部を水密的に形成するとともに、前記扉開閉検知スイッチ用リード線、ソレノイド用リード線、ロック検知スイッチ用リード線と、前記制御装置に接続された制御回路リード線とを中継コネクタで接続し、前記中継コネクタを前記コネクタ収納部に収納する構成とすることにより、洗濯機本体前面部などの隙間から水が浸入した場合でも、中継コネクタの接続充電部が水に濡れるのを容易に防止して、安全性を向上させることができる。
【００１８】
以下、本発明の実施の形態について、図面を参照しながら説明する。なお、この実施の形態によって本発明が限定されるものではない。
【００１９】
（実施の形態１）
図１は、本発明の実施の形態における洗濯機の外観斜視図である。本実施の形態は、ドラム式洗濯機を一例にとり、以下に詳述する。
【００２０】
図１において、洗濯機の本体１内には、洗濯物を収容する回転ドラム９７を回転自在に内包する水槽（図示せず）が揺動自在に弾性支持されており、回転ドラム９７は水槽の背面側に設けたモータ（図示せず）により回転駆動される。
【００２１】
本体１前面側には、前面外装板２が設けられ、前面外装板２の略中央部には、回転ドラム９７に洗濯物を投入する洗濯物投入口９９を回転自在に覆う扉体８が配設されている。
【００２２】
扉体８裏面側には、先端が鉤状のラッチ９０が設けており、扉体８を閉じると、ラッチ９０は、本体１側に設けたラッチ受け９１に挿入され、係止板２０２（図２参照）に係止して、扉体８が閉塞状態に保持される。扉体８を開く際には、扉体８に設けた取っ手部５７を引くと、ラッチ９０が可動し、ラッチ受け９１の係止板２０２から外れて、扉体８が開放できる状態になる構造になっている。
【００２３】
また、ラッチ受け９１の近傍には、扉体８の開閉を検知するためのボタン１１が設けられており、扉体８を閉めると、扉体８と一体で設けた突起部１２がボタン１１を押して、内部のスイッチ（図示せず）により検知する構造となっている。
【００２４】
なお、上記のラッチ受け９１、係止板２０２、ボタン１１などは、前面外装板２の裏面側に配設した扉スイッチ２００に設けてあり、詳細は後述する。
【００２５】
本体１の前面上部には、運転コースなど各種の入力設定と、その設定内容や進行状況などを表示する操作表示部９８が配設されている。
【００２６】
また、本体１内部の前面下部には、制御手段（図示せず）を有する制御装置９６が配置されている。制御手段は、操作表示部９８、扉スイッチ２００、水位検知手段（図示せず）などからの入力データをもとに、給水弁（図示せず）、モータ（図示せず）、排水弁（図示せず）、扉スイッチ２００（図２参照）等の動作を制御して、洗い、すすぎ、脱水な
どの各行程の制御を行う。
【００２７】
図２は、本発明の実施の形態におけるドラム式洗濯機の扉スイッチの取付け状態を示す斜視図、図３は、同ドラム式洗濯機の扉スイッチの側面図、図４は、同ドラム式洗濯機の扉スイッチの箱体蓋９４を取り除いた内部構造図である。
【００２８】
図２、図３、図４において、扉スイッチ２００は、前面外装板２の裏面側に設けた前面配置板金２１１に固定されており、扉スイッチ２００の外装である箱体２０３は、各部品を取り付けた箱体ベース９３と箱体蓋９４とにより水密的に構成されている。
【００２９】
ボタン１１は、扉体８の開閉状態を検知するためのものであり、扉体８を閉めると扉体８と一体的に設けた突起部１２がボタン１１を押し、扉スイッチ２００内部の扉開閉検知スイッチ３１７が動作して扉体８が閉まったことが検知される。
【００３０】
また、扉体８を閉めると、ラッチ９０が係止板２０２に設けたラッチ受け９１に挿入され、スプリングＥ３２５よりも強い力で係止板２０２を図４中矢印の方向に押す。係止板２０２には、突部３２６を設け、ソレノイドアクチュエータ２０９への通電によりリンク３１１に設けた突出部３１２に当り、ロックすることができる。また、扉体８に取り付けた取っ手部５７を引くと、ラッチ９０が可動し、係止板２０２が図４中矢印の方向とは逆に動き、ラッチ受け９１からラッチ９０が外れて、扉体８を開くことができる。
【００３１】
扉スイッチ２００の上方では、ソレノイドアクチュエータ２０９にソレノイド用リード線２１８ｃ、扉体８のロックを検知するロック検知スイッチ３２２にロック検知スイッチ用リード線２０４ｂが接続されている。扉スイッチ２００の下方では、扉開閉検知スイッチ３１７に扉開閉検知スイッチ用リード線２０４ａが接続されている。
【００３２】
ソレノイド用リード線２１８ｃ、ロック検知スイッチ用リード線２０４ｂ、扉開閉検知スイッチ用リード線２０４ａの三つのリード線を結束バンド２０７でまとめて、スイッチ用リード線２０４として配線されている。なお、ロック検知スイッチ用リード線２０４ｂは、箱体２０３に形成された孔部ｂ３２７を通して、扉開閉検知スイッチ用リード線２０４ａは、孔部ａ３２４を通して箱体２０３から外に出ており、ソレノイド用リード線２１８ｃのソレノイドアクチュエータ２０９側の根元には、接着剤付熱収縮チューブ２４４（図７（ｂ）参照）が取り付けられており、これらの構成にて、各リード線充電部に対する防水をしている。
【００３３】
そして、スイッチ用リード線２０４は、中継コネクタ２０６を介して、制御装置９６から出ている制御回路リード線９２と接続されており、中継コネクタ２０６は箱体２０３に形成されたコネクタ収納部１００内に収納されている。
【００３４】
コネクタ収納部１００は、扉スイッチ２００の下部に箱体２０３と一体で設けられ、箱体ベース９３と箱体蓋９４とで下方を除く三方が水密的に構成された空間部であり、各スイッチ類や部品が配設されている部分とは仕切り壁９５にて遮断され、下方のみ開放されており、そこからスイッチ用リード線２０４が入り、上述のように内部に中継コネクタ２０６が収納され、制御回路リード線９２が出ている。
【００３５】
図５は、本発明の実施の形態におけるドラム式洗濯機の扉スイッチのソレノイドアクチュエータの分解斜視図、図６（ａ）は、同ドラム式洗濯機の扉スイッチの操作板の底面図、図６（ｂ）は、同操作板の分解斜視図、図７（ａ）は、同ドラム式洗濯機の扉スイッチのソレノイドアクチュエータのリード線接続状態を示す斜視図、図７（ｂ）は、同ソレノイドアクチュエータの斜視図である。
【００３６】
図５、図６（ａ）、（ｂ）において、ソレノイドアクチュエータ２０９は、略角筒状のボビン２２８（例えば、ＰＡ樹脂の一体形成部材）に銅線（例えば、エナメル線等のマグネットワイヤ）を巻装して端子片２２７（例えば、銅板）に接続し、電気絶縁材（例えば、ポリエステル樹脂、エポキシ樹脂、シリコーン樹脂、ウレタン樹脂等の接着シール材等で、他の材質の防水対策材、防湿対策材、結露対策材用等のものも含む）で封止したソレノイド２２９と、ソレノイド２２９の外周部を、例えば、コ字状に囲繞するヨーク２３０（例えば、ステンレススチール平板）と、ソレノイド２２９の内部から挿入されてヨーク２３０に固着される固定鉄心２３１（例えば、ステンレススチール平板）と、ソレノイド２２９に内設されて係合孔２３３を有する可動鉄心２３２（例えば、ステンレススチール平板）とから構成している。
【００３７】
可動鉄心２３２は、ハートカム方式のセルフロック機構のアンロック（係止解除）時から初めて実施されるソレノイド２２９の励磁（例えば、ソレノイド２２９の端子片２２７間に、交流１００Ｖを全波整流した電圧を印加）では、吸引作動（同時に、ハートカム溝２３７と係止ピン２３８とが摺動をする。図６（ａ）参照）をし、本発明における実施の形態においては所定の復帰位置から約７ｍｍ程度移動する。
【００３８】
そして、次に実施されるソレノイド２２９の消磁では、復帰作動（同時に、ハートカム溝２３７と係止ピン２３８とが係合される。図６（ａ）参照）をし、本発明における実施の形態においては約５ｍｍ程度復帰位置方向に移動して係止位置で停止し、ハートカム方式のセルフロック機構がロック（係止）される。なお、係止ピン２３８には、板ばね２３９により付勢力が与えられている。
【００３９】
また、可動鉄心２３２は、ハートカム方式のセルフロック機構のロック（係止）時から初めて実施されるソレノイド２２９の励磁では、吸引作動（同時に、ハートカム溝２３７と係止ピン２３８とが摺動をする。図６（ａ）参照）をし、本発明における実施の形態においては、係止位置から約５ｍｍ程度移動する。そして、次に実施されるソレノイド２２９の消磁では、復帰作動（同時に、ハートカム溝２３７と係止ピン２３８とが離脱される。図６（ａ）参照）をし、本発明における実施の形態においては、約７ｍｍ程度移動して復帰位置に戻り、ハートカム方式のセルフロック機構がアンロック（係止解除）される。
【００４０】
可動鉄心２３２は、前記のようなソレノイド２２９の励磁（吸引作動）及び消磁（復帰作動）を繰り返すことにより、規定の往復動をする。
【００４１】
可動可能な操作板２１０（例えば、ＰＯＭ樹脂の一体形成部材）は、可動鉄心２３２に連結して可動鉄心２３２の往復動の方向と同方向に往復動し、一端部には、リンク用突起２３４（リンク３１１と係合する）を設け、略中央部には、可動鉄心２３２の係合孔２３３に係合する突起２３６とスプリングＦ（図示せず）の一端受け２４０を設け、他端部には、ハートカム溝２３７（略中央部にハート形突起を設け、該ハート形突起の周囲の数カ所に階段状段差等を設けた係止ピン誘導溝）を設け、操作板２１０のスプリングＦの一端受け２４０に常時弾発付勢するようにスプリングＦ（圧縮コイルスプリング、巻線バネ。例えば、ステンレススチール線）を装着して、ソレノイド２２９の消磁時の可動鉄心２３２の復帰作動を容易にしたものである。
【００４２】
図７（ａ）において、ソレノイド２２９をモールドしているソレノイドモールド２４２の端子片２２７には、円筒形状にモールドしたモールド部２４３が設けてある。ソレノイド用リード線２１８ｃの芯線と端子片２２７は、スポット溶接されている。
【００４３】
図７（ｂ）において、ソレノイド用リード線２１８ｃの被覆部と円筒形状にモールドし
たモールド部２４３を覆うように、接着剤付熱収縮チューブ２４４が設けられ、熱溶着されている。
【００４４】
接着剤付熱収縮チューブ２４４は、熱を加えると収縮し、内側に塗布された接着剤が溶解してソレノイド用リード線２１８ｃの被覆と接着剤付熱収縮チューブ２４４を接着するとともに、円筒形状にモールドしたモールド部２４３と接着剤付熱収縮チューブ２４４を接着する。これにより、充電部である端子片２２７の防水処理がなされている。
【００４５】
以上のように、本実施の形態においては、扉スイッチ２００は、箱体ベース９３および箱体蓋９４にて、下部側に下方が開放したコネクタ収納部１００を水密的に形成するとともに、扉開閉検知スイッチ用リード線２０４ａ、ソレノイド用リード線２１８ｃ、ロック検知スイッチ用リード線２０４ｂと、制御装置９６に接続された制御回路リード線９２とを中継コネクタ２０６で接続し、中継コネクタ２０６をコネクタ収納部１００に収納する構成とすることにより、洗濯機本体前面部などの隙間から水が浸入した場合でも、中継コネクタ２０６の接続充電部が水に濡れるのを容易に防止して、安全性を向上させることができる。
【００４６】
なお、本実施の形態は、ドラム式洗濯機に基づいて説明したが、縦型洗濯機に用いても良い。
【産業上の利用可能性】
【００４７】
以上のように、本発明にかかる洗濯機は、洗濯機本体前面部などの隙間から水が浸入した場合でも、扉スイッチの中継コネクタの接続充電部が水に濡れるのを容易に防止して、安全性を向上させることが可能となるので、扉体開閉用の扉スイッチを有する他の洗濯機などの用途に適用できる。
【符号の説明】
【００４８】
１  本体
２  前面外装板
８  扉体
５７  取っ手部
９０  ラッチ
９１  ラッチ受け
９２  制御回路リード線
９３  箱体ベース
９４  箱体蓋
９６  制御装置
９７  回転ドラム
９９  洗濯物投入口
１００  コネクタ収納部
２００  扉スイッチ
２０４ａ  扉開閉検知スイッチ用リード線
２０４ｂ  ロック検知スイッチ用リード線
２０６  中継コネクタ
２０９  ソレノイドアクチュエータ
２１８ｃ  ソレノイド用リード線
３１７  扉開閉検知スイッチ
３２２  ロック検知スイッチ
【図１】
2017064286.tif 000003
【図２】
2017064286.tif 000004
【図３】
2017064286.tif 000005
【図４】
2017064286.tif 000006
【図５】
2017064286.tif 000007
【図６】
2017064286.tif 000008
【図７】
2017064286.tif 000009
【図８】
2017064286.tif 000010
【図９】
2017064286.tif 000011